(57)【要約】【課題】電波暗室の内壁面への取り付け、取り外し作業が短時間で容易に行なうことができ、また固定後、長期間使用する場合においても落下のおそれが極めて低く、また中空構造を有する電波吸収体の変形や破損が生じない電波吸収体とその取り付け方法を提供する。【解決手段】電波暗室に使用する、電波吸収性シートから形成され中空構造を有する角錘形状の電波吸収体であって、前記電波吸収体の側面に少なくとも１つの面ファスナーを隣り合う面にかかるように配した電波吸収体と、電波暗室内壁面に取り付けた面ファスナーで取り付けることを特徴とする。【選択図】図１
2010135359.tif 000002
【特許請求の範囲】
【請求項１】
電波吸収性シートから形成され中空構造を有するくさび型または角錘形状の電波吸収体であって、前記電波吸収体の側面に複数の面ファスナーを有し、かつ少なくとも１つの面ファスナーが隣り合う側面にかかるように配されていることを特徴とする電波吸収体。
【請求項２】
請求項１に記載の電波吸収体の取り付け方法であって、電波暗室の内壁面に、該電波吸収体の底面径と同幅の間隔に配された支持部材を介して配された面ファスナーにより取付けることを特徴とした電波吸収体の取り付け方法。
【発明の詳細な説明】
【技術分野】
【０００１】
本発明は、家電・ＯＡ機器・通信機器をはじめとする各種エレクトロニクス関連製品のエミッション、イミュニティ測定・試験に使用される電波暗室に設置して用いる電波暗室用電波吸収体とその取り付け方法に関する。
【背景技術】
【０００２】
従来の電波暗室に用いる電波吸収体の取り付け方法としては、電波暗室の内壁面に対して接着材等で固着するのが一般的であった。しかし係る方法では、接着剤が硬化するまでの養生時間が長く、又、補修交換や破損などで吸収体を交換する際は取替え施工の手間も掛かり、施工費が高くなるという問題があった。
【０００３】
これに対し、特許文献１には、電波吸収体の取り付け底面部と内壁面の間にフックファスナとループファスナとから成る面ファスナーを使用し、取り外し可能に設置する方法が開示されている。しかし、この方法では電波吸収体の自重による落下の恐れがあった。また特許文献２には、電波吸収体コーン部に貫通口を設け、一方、電波暗室内壁面に取り付け部材を設け、ベルトを貫通口に貫通させて取り付け部材に縛り付ける固定方法が開示されている。しかし、この方法では、貫通口にベルトを通さなければならず、作業が煩雑化することや、固定する際、電波吸収体に貫通口を設けなければならず、また縛り付けることによる電波吸収体、特に中空のコーン部の形状変化などにより電波吸収性能が変化する恐れがあった。
【特許文献１】実開平１−１０７２００号公報
【特許文献２】実開平２−１０２７９４号公報
【発明の開示】
【発明が解決しようとする課題】
【０００４】
本発明は、電波暗室の内壁面への取り付け、取り外し作業が短時間で容易に行なうことができ、また固定後、長期間使用する場合においても落下のおそれが極めて低く、また中空構造を有する電波吸収体の変形や破損が生じない電波吸収体とその取り付け方法を提供することを目的とする。
【課題を解決するための手段】
【０００５】
すなわち本発明は、電波吸収性シートから形成され中空構造を有するくさび型または角錘形状の電波吸収体であって、前記電波吸収体の側面に複数の面ファスナーを有し、かつ少なくとも１つの面ファスナーが隣り合う側面にかかるように配されていることを特徴とする電波吸収体である。
【発明の効果】
【０００６】
本発明によれば、電波暗室の壁面や天井面への取り付け、取り外し作業が短時間で容易に行なうことができ、また固定後、長期間使用する場合においても落下のおそれが極めて低く、また形状変化が極めて小さい電波吸収体を得ることができる。
【発明を実施するための最良の形態】
【０００７】
電波暗室に使用される電波吸収体には、フェライトやカーボニル鉄等を素材とする磁気損失材料からなるものや、炭素粉末や炭素繊維等を混合したゴムやプラスチックを素材とする導電損失・誘電損失材料からなるもの等が挙げられる。磁気損失材料からなるものは、タイル状やパネル状といった平板形状のものが主に使用される。一方、導電損失・誘電損失材料からなるものは、平板形状の他に、より広帯域の電波吸収性能を得ることを目的として角錐型、くさび形や波型等の立体形状のものが使用される。本発明の電波吸収体は、導電性材料を含有する電波吸収性のシートから形成されてなる。導電性材料は、電波エネルギーを微少な電流に変換し、さらに熱エネルギーに変換することで電波の減衰を行う。
【０００８】
導電性材料としては例えば、カーボンブラック、カーボンマイクロコイル粉、グラファイト粉、金属粉、金属酸化物等の導電性粉体や、炭素繊維、炭化ケイ素繊維、金属繊維、金属メッキ繊維等の導電性繊維を挙げることができる。
【０００９】
導電性材料を含有するシートの態様としては例えば、導電性繊維を含む混抄紙が好ましい。かかる混抄紙は、少量の導電性材料の添加によって効率良く電波吸収性能を得ることができ、ひいては軽量化も可能である。また、加工も容易である。
【００１０】
かかる混抄紙に対する導電性繊維の含有量としては、０．０１〜７ｇ／ｍ２が好ましい。０．０１ｇ／ｍ２以上、より好ましくは０．０８ｇ／ｍ２以上とすることで、電波吸収性能を発現させることができる。また、７ｇ／ｍ２以下、より好ましくは３ｇ／ｍ２以下とすることで、電波の反射を抑えることができる。
【００１１】
また、導電性繊維の繊維長としては、基材への分散性の観点から１ｍｍ〜１２ｍｍであることが好ましい。
【００１２】
電波吸収性シートとしては、前記混抄紙をライナまたは中芯のいずれかに含んで成る段ボールを電波吸収性のシートとすることが好ましい。そうすることで電波吸収体の軽量性と強度とを両立させることができる。導電性繊維を含む混抄紙を段ボールやプラスチック製段ボールの表面に貼り付けたものを使用してもよい。
【００１３】
本発明の電波吸収体は、中空構造を有することが重要である。そうすることで、軽量化に資する。形状としては、くさび形、角錐型あるいは角錐型を基本とした形状を採用することができる。なかでも正四角錐型は、電波暗室の内壁面に隙間無く配置することができ、また林立させた電波吸収体の間で反射する電波も効率良く吸収させることができ、好ましい。このとき、電波吸収体は所望の形状に打ち抜いた展開状のシートを組み立ててなることが好ましい。これにより電波吸収体を形成する前の平面状態の段階において、所望の位置に面ファスナーを容易に配することが出来る。
【００１４】
面ファスナーは、電波吸収体の側面に複数配され、そのうち１つ以上の面ファスナーが隣り合う側面にかかるように配されることが重要である。このようにすることで、特に電波暗室の壁面に電波吸収体を設置する際、電波吸収体の自重による面ファスナーを備えた１つの側面に掛かる負担を低減し、電波吸収体の形状変化を防止し、電波吸収性能を安定化させることができる（図４（ｂ））。１つの側面にのみ面ファスナーを配すると、電波吸収体の自重により形状変化が起きやすい（図４（ａ））。これは本発明で使用する、電波吸収性のシートから形成された中空の電波吸収体の場合に特に顕著であるが、本発明の電波吸収体はこのような形状変化を防止することができる。
【００１５】
本発明において、面ファスナーの配置としては、電波吸収体の向かい合う２つの側面に対してそれぞれ２箇所に面ファスナーを配することが好ましい。また、この２箇所に配置した面ファスナーは、側面の中心線（側面の三角形の頂点から底辺におろした垂線）に対して対称とすることが好ましい。面ファスナーの配置態様の具体例を図２に示す。設置位置としては、電波吸収体の高さ（角錐の高さ）をｄ［ｃｍ］とした場合、底面からｄ／４まで〜底面からｄ／２までの間とすることが好ましい（図２の（ａ）参照）。こうすることで、内壁面への設置作業が容易となり、また、意匠性の面からも好ましい。側面に面ファスナーを配置する際は、Ｉ字、Ｔ字、Ｖ字、Ｙ字等の形態とすることにより、隣り合う側面にかかるように面ファスナーを配することができる。
なお、面ファスナーは特に限定されず、市販されている面ファスナーを使用することができる。このとき使用される面ファスナーの幅としては、電波吸収体の設置性および作業性の観点から３０ｍｍ〜１００ｍｍとすることが好ましい。
【００１６】
電波吸収体の側面に面ファスナーを配する際は、接着剤や両面テープを用いることができる。このとき、電波暗室の防災性の観点から、電波吸収体および電波吸収体と接触する部材は、不燃性あるいは難燃性を有する材料または難燃加工を施した材料を使用することが好ましい。
【００１７】
例えば、前記混抄紙にはガラス繊維、芳香族ポリアミド繊維、ポリエーテルエーテルケトン繊維、ポリパラフェニレンベンゾビスオキサゾール繊維、ポリフェニレンサルファイド繊維等、あるいは酸化チタン、硫酸バリウム、炭酸カルシウム、水酸化アルミニウム、水酸化マグネシウム等の無機粉体を含有せしめてもよい。例えば水酸化アルミニウムや水酸化マグネシウム等を添加することにより、難燃性を向上させることができる。また、面ファスナーとしては、例えばポリフェニレンサルファイド繊維を使用した面ファスナーを使用することにより難燃性を向上させることができる。両面テープも難燃性または耐熱性を有するものを使用することが好ましい。
【００１８】
本発明では、電波暗室の内壁面に、電波吸収体の底面径と同幅の間隔に配された支持部材を介して取付けられた面ファスナーと電波吸収体に取り付けられた面ファスナーにより、取り付ける方法を採用する。
電波暗室の内壁面に取り付けられる支持部材は、電波吸収体底面の長辺方向に平行かつ底面径と同幅に設置される。これにより、面ファスナーで壁面に固定する際、電波吸収体の底面形状を保持することができる。該支持部材の天井面への設置方向は、特に制限されるものではないが、壁面に対しては、床面と平行になるように支持部材を設置することが好ましい。こうすることで、鉛直方向への電波吸収体の位置ずれを防止することができる。該支持部材は、樹脂板や木板を適用することができる。内壁面への支持部材の取り付け方法として、例えばネジ穴を設けた内壁面に前記支持部材に設けた孔にボルトを通して連結する方法等が挙げられる。
【００１９】
電波暗室の内壁面と該支持部材の間に設置される面ファスナーは、面ファスナーのみから構成されるものでもよいが、ポリエステル繊維やナイロン繊維から成るベルト生地を所定の長さにカットしたものの両端に面ファスナーを備えた取付部材を使用してもよい。
【００２０】
なお、一般に面ファスナーにはオス（フックファスナー）とメス（ループファスナー）があるが、電波吸収体にどちらを配し、支持部材を介して取付ける側にどちらを使用するかは特に限定されない。しかし、電波吸収体に面ファスナー（メス）を配することが好ましい。また、フック面とループ面の区別のない面ファスナーを使用することもできる。
【実施例】
【００２１】
［実施例１］
（電波吸収性シート）
平均繊維長が６ｍｍの炭素繊維とチョップドガラス繊維とアラミドパルプとをそれぞれ、０．８質量部、７０質量部、２９．２質量部の割合で混合して湿式抄紙し、厚み０．２５ｍｍ、坪量１５０ｇ／ｍ２のシートＡを得た。また、チョップドガラス繊維とアラミドパルプとをそれぞれ８０質量部、２０質量部の割合で混合して湿式抄紙し、厚み０．２５ｍｍ、坪量１５０ｇ／ｍ２のシートＢを得た。
【００２２】
上記のようにして得たシートＡを中芯に使用し、シートＢを両面のライナに使用し、コルゲート加工し、厚さ２．５ｍｍの両面段ボールを作製し、電波吸収性シートを得た。
【００２３】
（電波吸収体）
上記電波吸収性シートを図２（ａ）に示すような形に裁断後、両面テープを用いて、幅５０ｍｍ、長さ３５０ｍｍのナイロン製面ファスナー（メス）を向かい合う２つの側面に対してそれぞれ２箇所、隣り合う側面にかかるように図２（ａ）のように取り付け、これを組み立てて、底面６００ｍｍ×６００ｍｍ、高さ９００ｍｍである、面ファスナーを備えた中空ピラミッド形状の電波吸収体を得た。
【００２４】
（電波吸収体の内壁面への固定）
壁面に面ファスナー（オス）の支持部材として、幅３ｃｍの木板２本の間隔が６００ｍｍとなるよう、床面と平行に配置しボルト固定した。また、天井面にも同様に支持部材をボルト固定した。支持部材と壁面の隙間に、幅４０ｍｍ、長さ６００ｍｍのナイロン６６製のベルトの両端に面ファスナー（オス）を備えたものを取り付け、これと上記電波吸収体とを取り付け、固定した。結果として、電波吸収体の取り付け後も電波吸収体の変形が見られなかった。
【００２５】
［比較例１］
（電波吸収シート）
実施例１で用いたのと同様のものを用いた。
【００２６】
（電波吸収体）
上記電波吸収性シートを図２（ａ）に示すような形に裁断後、両面テープを用いて、幅５０ｍｍ、長さ３５０ｍｍのナイロン製面ファスナー（メス）を向かい合う２つの側面に対してそれぞれ１箇所に図４（ａ）のように取り付け、これを組み立てて、底面６００ｍｍ×６００ｍｍ、高さ９００ｍｍである、面ファスナーを備えた中空ピラミッド形状の電波吸収体を得た。
【００２７】
（電波吸収体の内壁面への固定）
実施例１と同様の方法で電波吸収体を取り付け、固定した。
【００２８】
固定後、約１ヶ月経過後に電波吸収体天井面側の面ファスナー取り付け面に膨らみが生じ、変形した。
【図面の簡単な説明】
【００２９】
【図１】本発明の電波吸収体の取り付け方法の一例。
【図２】本発明の電波吸収体における面ファスナーの配置の例を示す図。
【図３】本発明の電波吸収体を取り付けるための取付部材の例を示す図。
【図４】本発明の電波吸収体及びその取り付け方法による効果を示す模式図（なお、見やすさのため面ファスナーの厚みを強調している）。
【符号の説明】
【００３０】
１：電波吸収体  
２：面ファスナー（メス）
３：面ファスナー（オス）
４：支持部材
５：ベルト  
６：取付部材
【図１】
2010135359.tif 000003
【図２】
2010135359.tif 000004
【図３】
2010135359.tif 000005
【図４】
2010135359.tif 000006